(57)【要約】【課題】優れたルアーアクションを実現し、対象魚に対する強いアピール効果を得る釣り用ルアーを提供する。【解決手段】小魚を模した外観形状となるように形成されたルアーボディ１の後端部に尾部４が付設される。尾部４をルアーボディ１に対して可動に結合する結合手段を有する。結合手段は少なくとも２つの可動部を含み、第１の可動部９と第２の可動部１０の可動自由度が異なる。第２の可動部１０は第１の可動部９よりも可動自由度が大きく設定され、尾部４がルアーボディ１に対してフレキシブル動作可能に構成する。第１の可動部９はヒンジ結合構造を有し、第２の可動部１０はリング状結合構造を有する。【選択図】       図１
2005204576.tif 000002
【特許請求の範囲】
【請求項１】
小魚を模した外観形状となるように形成されたルアーボディを有する釣り用ルアーであって、
前記ルアーボディの後端部に尾部が付設され、この尾部を前記ルアーボディに対して可動に結合する結合手段を有することを特徴とする釣り用ルアー。
【請求項２】
前記結合手段は少なくとも２つの可動部を含み、第１の可動部と第２の可動部の可動自由度が異なることを特徴とする請求項１に記載の釣り用ルアー。
【請求項３】
前記第２の可動部は前記第１の可動部よりも可動自由度が大きく設定され、前記尾部が前記ルアーボディに対してフレキシブル動作可能に構成したことを特徴とする請求項１または２に記載の釣り用ルアー。
【請求項４】
前記第１の可動部はヒンジ結合構造を有し、前記第２の可動部はリング状結合構造を有することを特徴とする請求項２または３のいずれか１項に記載の釣り用ルアー。
【発明の詳細な説明】
【技術分野】
【０００１】
本発明は、釣り用ルアーに関するものである。
【背景技術】
【０００２】
ルアー釣りにおいて、対象魚の種類等に応じて様々な形態や工夫が施されたルアーが考案されている。たとえば、所謂フィッシュイーターと呼ばれる主に小魚を常食餌とする大型の対象魚の場合、小魚に似せた形態のルアーが使用される。対象魚を誘い、つまり対象魚に対して強くアピールする集魚効果を得るために、ルアーの形や色彩等につき工夫がなされている。
【０００３】
従来ルアーでは、たとえばルアーボディ表面に適宜の塗装を施し、小魚に似せた形態としたものが知られている。このようにルアーボディの表面処理を行なうことで、対象魚に対してアピール効果を得ようとするものである。
【発明の開示】
【発明が解決しようとする課題】
【０００４】
ところで、ルアーにおける対象魚に対するアピール効果は形態ばかりでなく、ルアーが水中での遊泳中にとるルアーアクションもまた重要なポイントになる。つまり実際の小魚の泳ぎ方に似るほど対象魚に対して強くアピールする。しかしながら、小魚の泳ぎの再現性を向上させるルアーアクションを実現するのは必ずしも容易でなかった。
【０００５】
本発明はかかる実情に鑑み、優れたルアーアクションを実現し、対象魚に対する強いアピール効果を得る釣り用ルアーを提供することを目的とする。
【課題を解決するための手段】
【０００６】
本発明の釣り用ルアーは、小魚を模した外観形状となるように形成されたルアーボディを有する釣り用ルアーであって、前記ルアーボディの後端部に尾部が付設され、この尾部を前記ルアーボディに対して可動に結合する結合手段を有することを特徴とする。
【０００７】
また、本発明の釣り用ルアーにおいて、前記結合手段は少なくとも２つの可動部を含み、第１の可動部と第２の可動部の可動自由度が異なることを特徴とする。
【０００８】
また、本発明の釣り用ルアーにおいて、前記第２の可動部は前記第１の可動部よりも可動自由度が大きく設定され、前記尾部が前記ルアーボディに対してフレキシブル動作可能に構成したことを特徴とする。
【０００９】
また、本発明の釣り用ルアーにおいて、前記第１の可動部はヒンジ結合構造を有し、前記第２の可動部はリング状結合構造を有することを特徴とする。
【発明の効果】
【００１０】
本発明によれば、ルアーボディの後端部において尾部が付設され、この尾部は結合手段を介してルアーボディに対して可動に結合する。ルアーは着水後、釣糸を引くことで水中で前傾姿勢をとって潜行・遊泳する。その場合、尾部は釣糸の引き加減あるいは水流の加減で、ルアーボディに対してたとえば左右あるいはローリング状の動きをし、極めて実際の小魚に似た動きをする。このようなルアーアクションにより対象魚に対する強いアピール効果が得られ、その結果、高い釣果を期待することができる。
【発明を実施するための最良の形態】
【００１１】
以下、本発明による釣り用ルアーの好適な実施の形態について、添付図面に基づいて詳細に説明する。
図１は、この実施形態における釣り用ルアーの例を示している。図において、１はルアーボディ、２はルアーボディ１の先端部付近に付設した潜水板（所謂、リップ）、３はルアーボディ１の先端に設けた糸環であり、この糸環３に釣糸が結び付けられる。また、４はルアーボディ１の後端部に付設された尾部であり、これについては後述する。さらに、５はフックハンガ、６はフックハンガであり、これらにフロントフック（釣針）７およびリヤフック８が係着する。
【００１２】
ルアーボディ１は、合成樹脂等の材料により小魚に似せた外観形状となるように形成され、概略中空構造を有している。ルアーボディ１はその長手方向（前後方向）に沿って二分した２つのボディハーフを相互に接合してなる。また、潜水板２は、ルアーボディ１に対して適度に下方に傾斜するように設けられる。これにより釣糸を引くことでルアーは潜行姿勢をとることができる。
【００１３】
ルアーボディ１の内部には、通常金属製の重り機能を有するバランスウェイト（図示せず）が内蔵されている。バランスウェイトとしてルアーボディ１の所定部位に固定されるもの、あるいはルアーボディ１の長手方向に沿って移動可能なものを含んでよい。
【００１４】
本発明において特に尾部４は、金属材料（ステンレス鋼あるいはアルミニウム合金等）の薄板材により小魚の尾ひれに似せた形状となるように形成され、結合手段を介してルアーボディ１に対して可動に結合する。この結合手段は少なくとも２つの可動部９，１０を含み、第１の可動部９と第２の可動部１０の可動自由度が異なっている。
【００１５】
この実施形態では、第１の可動部９としてヒンジ結合構造を有し、第２の可動部１０としてリング状結合構造を有する。図２に示されるように、第１の可動部９を構成するヒンジ１１は、金属材料（ステンレス鋼等）により形成されるが、ルアーボディ１の後端部に結合されるヒンジ片１１ａと尾部４側のヒンジ片１１ｂとがヒンジピン１１ｃによって相互に結合される。なお、ヒンジ片１１ａは、ルアーボディ１に形成した切込（図示せず）に挿着後、適宜の接着剤を使ってルアーボディ１の後端部に固定することができる。
【００１６】
また、第２の可動部１０を構成するリング１２は、スプリットリング等と称し、金属材料（ステンレス鋼等）により形成されるが、上下一対のリング１２によってヒンジ１１および尾部４を結合するようになっている。この場合、ヒンジ片１１ｂおよび尾部４の適所にリング１２を適度な遊び（もしくは隙間）を以って挿通させる孔１３が穿設される。なお、リング１２としては、好適にはステンレス鋼等の鋼線を２重巻きしたものを用いることができる。また、１重巻きのリング１２を用いることも可能である。
【００１７】
本実施形態では上記のように第１の可動部９をヒンジ結合構造とし、第２の可動部１０をリング状結合構造とする。本例では第１の可動部９はルアーボディ１に対して主に左右方向の動きを可能にし、また、第２の可動部１０は左右方向の動きに加えて所謂ローリング状の動きを可能にする。このため第２の可動部１０は第１の可動部９よりも可動自由度が大きく設定され、尾部４は第１の可動部９と第２の可動部１０を有する結合手段を介して、ルアーボディ１に対してフレキシブルな動作が可能になる。
【００１８】
本発明の釣り用ルアーにおいて、キャスティングされたルアーは着水後、釣糸を引くことで潜水板２が水流抵抗を受けて、水中で前傾姿勢をとって潜行する。その場合、釣糸の引き加減あるいは水流の加減で、ルアーボディ１の遊泳を緩急制御することができる。
【００１９】
その際、尾部４は第１の可動部９と第２の可動部１０を介してルアーボディ１と結合しているため、典型的には左右あるいはローリング状の動きをし、実際の小魚の泳ぎ方に極めて近いルアーアクションを実現することができる。これにより対象魚に対する強いアピール効果が得られ、その結果、高い釣果を期待することができる。また、第１の可動部９および第２の可動部１０が典型的な例として金属製である場合、それらが動くとき特有の音や光を発生し、これによる音響効果や反射光の作用が尾部４の動きと相俟って対象魚に対して強くアピールする。
【００２０】
ここで、図３は本発明の変形例を示している。図３（ａ）において、第１の可動部９は前述のヒンジ１１により構成され、第２の可動部１０は単一のリング１２により構成される。第２の可動部１０は単一のリング１２であるため、可動自由度がかなり大きく設定される。一方、図３（ｂ）のように第２の可動部１０は３つのリング１２により構成される場合、可動自由度は逆に小さくなり、すなわち左右方向の動きが強くなる。なお、リング１２を４つ以上用いることも可能である。
【００２１】
また、尾部４は小魚に似せた形状に形成される場合の他、図３（ｃ）の図示例のように円形もしくはそれに類似の形状に形成してもよい。この例に限らず、対象魚に対するアピール効果が強い形状を採用することができる。
【００２２】
なお、本発明の好適な実施形態を説明したが、本発明は上述した実施形態にのみ限定されるものではなく、必要に応じて適宜変更等が可能である。
たとえば、第１の可動部９と第２の可動部１０は、ヒンジ結合構造およびリング状結合構造を適宜組み合わせて構成することができる。たとえば、双方ともヒンジ結合構造あるいはリング状結合構造としてもよく、また、前記実施形態とは逆にしてもよい。
【００２３】
また、尾部４および第１および第２の可動部９，１０の構成部材の材料として、各種金属、各種合成樹脂あるいは各種合成繊維等を適宜採用可能である。
さらに、２つの可動部９，１０ばかりでなく、３つ以上の可動部を有するものであってもよく、いずれの場合も同様な作用効果を得ることができる。
なお、ルアーボディ１は合成樹脂材料により形成する場合の他、木材（ムク材）により形成し、その場合バランスウェイトがルアーボディ１に埋め込まれるとともに潜水板（リップ）２がルアーボディ１に接着されるものであってもよく、上記実施形態と同様な作用効果を得ることができる。
【図面の簡単な説明】
【００２４】
【図１】本発明の実施形態に係る釣り用ルアーの側面図である。
【図２】本発明の実施形態に係る尾部まわりの構成例を示す図である。
【図３】本発明の実施形態に係る尾部まわりの変形例を示す図である。
【符号の説明】
【００２５】
１  ルアーボディ
２  潜水板
３  糸環
４  尾部
５，６  フックハンガ
７  フロントフック
８  リヤフック
９  第１の可動部
１０  第２の可動部
１１  ヒンジ
１２  リング
【図１】
2005204576.tif 000003
【図２】
2005204576.tif 000004
【図３】
2005204576.tif 000005